(57)【要約】【課題】悪戯治具を用いて不正にゲームをされることがあった。【解決手段】メダル２２の投入口２３と、この投入口２３に連結されるとともに下流に向かって設けられた通路２４と、この通路２４の上流側に設けられた外形判定部２６と、この外形判定部２６の下流側に設けられた切替ゲート２８と、この切替ゲート２８の下流側に設けられるとともにメダル２２の通過個数を検知するセンサ２９と、このセンサ２９の下流に設けられた出口３０と、センサ３０の出力が接続されたコネクタ３１と、外形判定部２６で偽メダル２２ｂ、２２ｃ、２２ｄと判定されたメダル及び切替ゲート２８により返却されるメダル２２の返却口２５とを備え、センサ２９は通路２４の壁面２４ｂに磁気センサ２９ａと光学センサ２９ｂとが並んで設けられたものである。これにより、所期の目的を達成することができる。【選択図】図１
2007310541.tif 000002
【特許請求の範囲】
【請求項１】
メダルの投入口と、この投入口に連結されるとともに下流に向かって設けられた通路と、この通路の上流側に設けられた外形判定部と、この外形判定部の下流側に設けられた切替ゲートと、この切替ゲートの下流側に設けられるとともに前記メダルの通過個数を検知するセンサと、このセンサの下流に設けられた出口と、前記センサの出力が接続されたコネクタと、前記外形判定部で偽メダルと判定されたメダル及び前記切替ゲートにより返却されるメダルの返却口とを備え、前記センサは前記通路の壁面に磁気センサと光学センサとが並んで設けられたメダル選別装置。
【請求項２】
磁気センサの下流側に光学センサを配置した請求項１に記載のメダル選別装置。
【請求項３】
センサの取り付け位置は、通路の底面から計測して、メダルの中心と、前記メダルの上端との間の位置に設けられた請求項１に記載のメダル選別装置。
【請求項４】
センサの取り付け位置は、通路の底面から計測して、メダルの中心と、前記メダルの下端との間の位置に設けられた請求項１に記載のメダル選別装置。
【請求項５】
外形判定部は、メダルの外形の判定基準を可変可能とした請求項１に記載のメダル選別装置。
【請求項６】
メダルの外形の判定基準を可変可能とした投入口と通路とを有する請求項５に記載のメダル選別装置。
【請求項７】
光学センサには、反射型センサを用いた請求項１に記載のメダル選別装置。
【請求項８】
光学センサには、透過型センサを用いた請求項１に記載のメダル選別装置。
【請求項９】
光学センサの前面に鏡を配置し、光路を屈曲させた請求項８に記載のメダル選別装置。
【請求項１０】
磁気センサは２個以上設けるとともに、通路を挟んで対向した位置に夫々設けられた請求項１に記載のメダル選別装置。
【請求項１１】
２個のセンサは直列同相接続された請求項１０に記載のメダル選別装置。
【請求項１２】
２個のセンサは直列逆相接続された請求項１０に記載のメダル選別装置。
【発明の詳細な説明】
【技術分野】
【０００１】
本発明は、遊技等で使用されるメダル選別装置に関するものである。
【背景技術】
【０００２】
以下、従来のメダル選別装置について説明する。遊技場等で用いられている従来のメダル選別装置は、図１５に示すような構成と成っていた。即ち、図１５において、１はメダル２が投入される投入口であり、この投入口１に連結して通路３が下流に向かって設けられている。そして、この通路３上には、投入口１方向から順にメダル２の外形判定部４と、メダル２の真偽を検知する光学センサ５と、メダル２の到達を検知する光学センサ６と、このメダル２の真偽により通路３を切り替える通路切替ゲート７と、この通路切替ゲート７に連結されるとともに、真と判定されたメダル２ａが導かれる出口８と、前記通路切替ゲート７に連結されるとともに、偽と判定されたメダル２ｂが導かれる排出口９と、前記外形判定部４で排除されたメダル２ｃを返却する返却口１０とで構成されていた。
【０００３】
以上のように構成されたメダル選別装置について、以下にその動作を説明する。投入口１から投入されたメダル２は、通路３を転動して下流へと導かれる。この通路３の転動中に外形判定部４でメダル２の外形が判定される。次に光学センサ５でメダル２の光学的特徴が検出される。この光学センサ５の出力はコントロール側に導かれる。そして、コントロール側でメダル２の真偽が判定され、真のメダル２ａのみが収納ボックスへ繋がる出口８から放出される。
【０００４】
メダル２が通路３の転動中において、外形判定部４で真のメダル２ａより外形が小さいと判定されたメダル２ｃは返却口１０から放出される。また、光学センサ５から出力される信号に基づいて、偽と判定されたメダル２ｂは、排出口９から排出される。
【０００５】
このようにして、真と判別されたメダル２ａのみが出口８から放出される。このようにして、投入されたメダル２が真のメダル２ａと判定された場合のみ、遊技者はゲームを行うことができる。
【０００６】
なお、この出願の発明に関連する先行技術文献情報としては、例えば、特許文献１が知られている。
【特許文献１】特開平５−４６８４６号公報
【発明の開示】
【発明が解決しようとする課題】
【０００７】
しかしながらこのような従来のメダル選別装置では、メダル２は、外形の判定と光学センサ５、６による判定のみで行われていた。そのため、図１６に示すような発光ダイオード１３、１３ａが装着された悪戯治具１１を用いて、不正にゲームをすることができた。
【０００８】
この悪戯治具１１について今少し詳しく説明する。この悪戯治具１１は、「く」の字形をした半剛体１２で形成されており、その先端１１ａ側には、光学センサ５、６と対向する位置に、夫々発光ダイオード１３、１３ａが設けられたものである。そして、この発光ダイオード１３、１３ａを半剛体１２の他端１１ｂ側に設けられたボタン１４で点滅制御するものであった。従って、このボタン１４の操作により、発光ダイオード１３、１３ａを点滅させ、あたかもメダル２が投入されたと同じ状態を作り出すことができた。即ち、メダル２を投入することなくゲームを行うことができるものであった。
【０００９】
本発明は、この問題を解決したもので、不正にゲームを行うことができないメダル選別装置を提供することを目的としたものである。
【課題を解決するための手段】
【００１０】
この目的を達成するために本発明のメダル選別装置のセンサは、通路の壁面に磁気センサと光学センサとが並んで設けられたものである。これにより、所期の目的を達成することができる。
【発明の効果】
【００１１】
本発明のメダル選別装置のセンサは、通路の壁面に磁気センサと光学センサとが並んで設けられたものであり、投入されたメダルの光学的な性質に併せて磁気的な性質を検知して、メダルの通過を判定することができるものである。従って、発光ダイオード等の光学手段のみを用いた悪戯治具を投入口から挿入しても磁気センサによる検知動作を制御することができない。即ち、このような治具を用いての不正ゲームを行うことはできない。
【発明を実施するための最良の形態】
【００１２】
以下、本発明の実施の形態について図面に基づいて説明する。
【００１３】
（実施の形態１）
図１は、本発明の実施の形態１におけるメダル選別装置の正面図である。図１において、２１は樹脂で形成されるとともに略４角形をした筐体であり、この筐体２１上方の一方の端２１ａ側近傍には、メダル２２の投入口２３が設けられている。この投入口２３は真のメダル２２ａがぎりぎり通過する大きさに形成されており、真のメダル２２ａか或いはこれより小さい偽のメダル２２ｂのみ投入することができる。しかし、この真のメダル２２ａより大きなメダル２２ｃは投入することができない。
【００１４】
また、この投入口２３には、真のメダル２２ａより厚みの厚い偽のメダル２２ｄは投入することができない。即ち、この投入口２３は、メダル２２の投入と併せて、外形の大きなメダル２２ｃと厚みの厚いメダル２２ｄを排除する役目も兼ねたものである。なお、ここで、真のメダル２２ａと偽のメダルの双方のメダルが該当するときには、単にメダル２２と記す。
【００１５】
２４は、投入口２３に連結して設けられたメダル２２の通路であり、この通路２４は下方に向かって設けられている。この通路２４は、投入口２３から先ず真下に向かって連結され、次に筐体２１の他方の端２１ｂ側に向かって約１１０度の角度で下流に向かって設けられている。
【００１６】
この通路２４の壁面に外形判定部２６が設けられている。この外形判定部２６は、メダル２２の直径が真のメダル２２ａより小さい偽のメダル２２ｂを排除するものである。排除されたメダル２２ｂは下方に形成された排除室２７に落下し、返却口２５から返却される。この外形判定部２６と投入口２３とにより、メダル２２のうち、外形の小さなメダル２２ｂと外形の大きなメダル２２ｃと厚みの厚いメダル２２ｄが排除される。
【００１７】
外形判定部２６の下流の通路２４には、切替ゲート２８が設けられており、この切替ゲート２８は、投入されたメダル２２を出口３０側と排除室２７側に切替えるものである。そして、この切替ゲート２８の下流側通路２４ａの壁面２４ｂには、メダル２２を検知するセンサ２９が設けられている。このセンサ２９の取り付けは、切替ゲート２８に近接して磁気センサ２９ａが装着されており、この磁気センサ２９ａの下流側に光学センサ２９ｂが装着されている。このセンサ２９の下流側の通路２４ａは出口３０に連結している。
【００１８】
磁気センサ２９ａと光学センサ２９ｂとで、メダル２２の通過個数や通過速度等の特徴を検出するものである。これらセンサ２９の出力は外部へ信号を取り出すコネクタ３１に導かれている。従って、このセンサ２９で検知されたメダル２２の通過個数情報はコネクタ３１を介して外部のコントロールに出力される。
【００１９】
切替ゲート２８は、投入されたメダル２２の個数により通路を切り替えるものであり、センサ２９を通過するメダル２２の数が予め定められた個数以上になると、コントロールからの信号により、通路２４が切り替えられメダル２２は排除室２７へ放出され、返却口２５から返却されるようになっている。
【００２０】
また、本実施の形態において、投入口２３と出口３０とは、互いに異なる方向（一方の端２１ａ側の近傍と他方の端２１ｂ側）に形成される。従って、このような入口と出口を有する機器への取り付けを容易にすることができる。
【００２１】
以上のように構成されたメダル選別装置において、以下にその動作を説明する。投入口２３から投入されたメダル２２は、先ず投入口２３で外形が大きなメダル２２ｃと厚みの厚いメダル２２ｄが排除される。次に、外形判定部２６で外形の小さなメダル２２ｂが排除される。そして、通路２４ａに設けられたセンサ２９により、外部のコントロールと協働して予め定められた個数より多く投入されたメダル２２が排除される。従って、投入口２３から投入されたメダル２２のうち、真のメダル２２ａであって、且つ予め定められた個数のメダルのみが出口３０から放出されるものである。また、コントロール側では、真のメダル２２ａの数だけゲームができるように制御する。
【００２２】
また、センサ２９は、通路２４の壁面２４ｂに磁気センサ２９ａと光学センサ２９ｂとが並んで設けられたものであり、投入されたメダル２２の光学的な性質に併せて磁気的な性質を検知して、メダル２２の通過を判定することができるものである。従って、発光ダイオード等の光学手段のみを用いた悪戯治具１１を投入口２３から挿入しても磁気センサ２９ａによる検知動作を制御することができない。即ち、このような悪戯治具１１を用いての不正ゲームを行うことはできない。
【００２３】
図２はメダル選別装置の組立図である。図２において、筐体２１の背面側にはセンサ２９等が装着されたセンサ基板３５が取り付けられており、このセンサ基板３５にはコネクタ３１が接続されている。３６は投入口２３の下方の通路壁面に装着されるレバーであり、このレバー３６はレバーバネ３６ａでメダル２２を通路２４側に押圧するものである。このように、メダル２２を通路２４側へ押圧することにより、外形判定部２６で小さいメダル２２ｂの排除を容易にしている。
【００２４】
３７は、ギャップ調整ネジであり、投入口２３の下方の通路壁面に装着されている。このギャップ調整ネジ３７により、通路２４のギャップを調整し、厚みの厚い偽のメダル２２ｄの挿入を禁止するものである。
【００２５】
また、筐体２１の前面側には以下のものが取り付けられている。３８は、切替ゲート２８を構成するソレノイドであり、このソレノイド３８に装着された排除レバー３８ａで通路２４ａと排除室２７とを切り換えるものである。この排除レバー３８ａはバネ３８ｂで通路２４方向に付勢されている。また、このソレノイド３８にはコネクタ３８ｃが接続されており、外部のコントロールからこのコネクタ３８ｃを介してソレノイド３８に通電する。
【００２６】
４０は、通路２４、２４ａの他方の壁面を形成するリッドであり、樹脂で形成されている。このリッド４０の下方には、通路２４、２４ａの底面を形成する金属製のランプ４１がネジ４１ａで着脱可能に装着されている。
【００２７】
また、このリッド４０上方の一方の端２１ａ側には、投入口２３を形成する金属製の外形ストッパ４２がネジ４２ａで着脱可能に装着されている。このストッパ４２により外形が真のメダル２２ａより大きなメダル２２ｃを禁止している。即ち、外形の大きなメダル２２ｃを排除する。また、リッド４０の他方の端は、金属製のヒンジシャフト４３ａで筐体２１の他方の端２１ｂ側に装着される。このヒンジシャフト４３ａは、ヒンジバネ４３ｂ内を貫通して挿入されており、リッド４０を筐体２１側に閉じる方向に付勢している。
【００２８】
４４は筐体２１の下方に装着される樹脂製のフロントカバーであり、このフロントカバー４４と筐体２１とで返却メダル２２の排除室２７を形成している。
【００２９】
図３は、これらの部品を筐体２１に装着してメダル選別装置２０を完成させた完成斜視図である。
【００３０】
以下、各部の詳細について説明する。図４は、メダル選別装置２０のフロントカバー４４を外した正面図である。筐体２１には、ランプ４１がネジ４１ａで装着されたリッド４０が、ヒンジシャフト４３ａで連結されている。そして、このリッド４０はヒンジバネ４３ｂで筐体２１側に付勢されている。２３は、メダル２２の投入口であり、この投入口２３で切断して矢印５０ａ−５０ｂ方向から見た断面を図５に示す。
【００３１】
図５では、主に本実施の形態における外形判定部２６について説明する。外形判定部２６は、真のメダル２２ａと小さいメダル２２ｂとを判定して、小さいメダル２２ｂを、排除室２７へ排除する働きをするところである。
【００３２】
この外形判定部２６は、通路２４とレバー３６とで形成される。この外形判定部２６の通路２４は、筐体２１が一方の壁面２４ｂを形成し、他方の壁４０ａはリッド４０側に形成されている。この壁４０ａは真のメダル２２ａの上辺の微小部分を支えるように設計されている。また、この通路２４の底面はリッド４０に装着されたランプ４１で形成されている。
【００３３】
リッド４０面には、壁４０ａと空間部４０ｂが形成されている。この空間部４０ｂは、通路２４上のメダル２２ａの下面から約３分の１の位置に向かって約２０度の角度で傾斜している。また、壁面２４ｂの下方２４ｆは、通路２４上のメダル２２ａの下面から２分の１の位置から約５０度の角度で通路２４から離れる方向に傾斜して排除室２７に連結している。
【００３４】
また、投入口２３から投入されたメダル２２は、レバー３６でリッド４０方向に付勢されている。その結果、真のメダル２２ａは、壁４０ａで支えられて空間部４０ｂへの移動は禁止される。従って通路２４を転動していく。これに対して、小さいメダル２２ｂは、壁４０ａで支えられないので空間部４０ｂ側へ傾き排除室２７へ落下する。
【００３５】
なお、この空間部４０ｂを有する形状は、出口３０の直前（ソレノイド３８の排除レバー３８ａの終端３８ｄ）まで繋がっている。
【００３６】
次に、図６を用いて、切替ゲート２８とセンサ２９の関係について説明する。図６において、通路２４、２４ａの壁面２４ｂには、切替ゲート２８を形成するソレノイド３８が装着されており、このソレノイド３８は排除レバー３８ａを有している。
【００３７】
このソレノイド３８は通常状態で通電されており、排除レバー３８ａを吸引することにより、通路２４と通路２４ａとを連結している。従って、予め定められた個数以内の真のメダル２２ａは、そのまま通路２４ａを転動して出口３０へ放出される。これに対して予め定められた個数以上のメダル２２は、コントロール側からの信号によりソレノイド３８をオフして、排除レバー３８ａにより排除室２７へ排除される。
【００３８】
真のメダル２２ａが投入された場合には、真のメダル２２ａは、排除レバー３８ａの前を通過して、通路２４から通路２４ａに入る。そして、センサ２９を通って、出口３０から放出される。
【００３９】
これに対して、予め定められた個数以上のメダル２２が切替ゲート２８の前を通過する場合は、コントロール側からコネクタ３８ｃを介してソレノイド３８への通電をオフする。ソレノイド３８の通電がオフされると排除レバー３８ａの吸引は解除されて通路２４が塞がれる。従って、予め定められた個数以上のメダル２２は通路２４から排除室２７へ排除される。
【００４０】
排除レバー３８ａの終端３８ｄは、センサ２９方向に伸びており、磁気センサ２９ａと光学センサ２９ｂとでメダル２２ａを計数した後で、ソレノイド３８を動作させても十分後続するメダル２２を排除できるようになっている。このように、排除レバー３８ａの終端３８ｄを十分にセンサ２９ａの位置まで延長させておくことが重要である。
【００４１】
ここで、センサ２９として、磁気センサ２９ａと光学センサ２９ｂを設けている理由は、以下の２つの理由による。即ち、先ず、投入されたメダル２２の磁気的性質と光学的性質に基づいてメダル２２通過を論理積条件として検出している。これは、光学的性質のみを利用した悪戯治具１１に反応させないためである。
【００４２】
次に、磁気センサ２９ａを排除レバー３８ａの終端３８ｄに近接させて設けるとともに、光学センサ２９ｂをこの磁気センサ２９ａの下流側に装着する理由は、光学センサ２９ｂはメダル２２を迅速に検出できるためであり、磁気センサ２９ａは光学センサ２９ｂに比べて広い範囲に対するメダル２２の検出ができることによる。
【００４３】
即ち、先のメダル２２ａの通過を磁気センサ２９ａと光学センサ２９ｂで検出する。このとき光学センサ２９ｂはメダル２２ａの通過を迅速に検出してそれに対応する処理をすることができる。
【００４４】
次に、センサ２９の取り付け位置について述べる。センサ２９は、真のメダル２２ａの中心２２ｆから上端２２ｈの間になるように壁面２４ｂに装着する。なお、このとき正確には、メダル２２ａがセンサ２９を通過する距離５１ａと、連続投入されたメダル２２との空間距離５１ｂとが等しくなるように装着することである。これは、連なったメダル２２を安定して判別するために重要な配慮である。なお、このセンサ２９の取り付け位置は、メダル２２ａの中心２２ｆとメダル２２ａの下端２２ｊの間でも同じことである。
【００４５】
次に、切替ゲート２８について説明する。図７は、本実施の形態におけるメダル選別装置２０の切替ゲート２８の切断位置を説明するための正面図である。図７に示すメダル選別装置２０を５２ａ−５２ｂで切断したものが、図８或いは図９である。
【００４６】
図８は、通路２４と通路２４ａとが連結している場合の断面図である。即ち、この場合は、ソレノイド３８に通電されており、排除レバー３８ａはソレノイド３８に吸引されている。従って、投入されたメダル２２は、通路２４から通路２４ａに転動することができる。
【００４７】
これに対して、ソレノイド３８の通電がオフされると、図９に示すように、排除レバー３８ａの吸引は解除される。そうすると、排除レバー３８ａはバネ３８ｂに引っ張られて、メダル２２をリッド４０で形成された空間部４０ｂ側に押圧する。するとメダル２２は通路２４から外れて、この通路２４と連結された排除室２７へメダル２２の自重で排除される。
【００４８】
以上のようにして、ソレノイド３８に通電された状態では、通路２４と通路２４ａとが連結する。これに対して、ソレノイド３８の通電がオフされた状態では、通路２４は排除室２７に連結されることになる。
【００４９】
（実施の形態２）
図１０は、実施の形態２におけるメダル選別装置５５の正面図である。実施の形態２は、メダル２２の判定基準が変更されたメダル選別装置５５について説明する。なお、実施の形態１と同じものについては、同一符号を付して説明を簡略化している。
【００５０】
本実施の形態において、メダル２２の判定基準の変更は、ランプ５６（実施の形態１におけるランプ４１に該当する）と外形ストッパ５７（実施の形態１における外形ストッパ４２に該当する）の変更により行う。
【００５１】
実施の形態１ではメダル２２ａを基準としたが、実施の形態２ではこのメダル２２ａと異なる外形を有するメダル２２ｇを基準とする。この場合は、外形ストッパ５７とランプ５６を変更する。外形ストッパ５７を基準メダル２２ｇの直径がぎりぎり通過できる外形ストッパ５７に取り替える。この取り替えはネジ４２ａで簡単に取り替えることができるようになっている。また、壁４０ａ（図５参照）により基準メダル２２ｇの上辺の微小部分を支えるようにランプ５６を取り替える。この取り替えはネジ４１ａで簡単に取り替えるようになっている。また、基準メダル２２ｇの厚みの調整は、ギャップ調整ネジ３７（図２参照）で行う。
【００５２】
以上のように、本実施の形態におけるメダル選別装置５５は、外形ストッパ５７と、ランプ５６の交換と、ギャップ調整ネジ３７による厚み調整により、容易に外形の異なるメダル２２ｇを基準としたメダル選別装置５５を実現することができる。
【００５３】
（実施の形態３）
以降、実施の形態３、４、５は、本メダル選別装置に用いることのできるセンサ（実施の形態１、２で述べたセンサ２９）の配置について述べる。
【００５４】
図１１は、実施の形態３におけるメダル選別装置の通路の要部断面図である。図１１において、６１はメダル２２の通路であり、この通路６１の壁面には反射型の光学センサ６２が設けられている。このセンサ６２はメダル２２の通過個数を検出するものである。
【００５５】
本実施の形態では反射型のセンサ６２を用いているので、幅方向のスペースを小さくすることができる。従って、メダル選別装置の薄型化を図ることができる。
【００５６】
（実施の形態４）
図１２は、実施の形態４におけるメダル選別装置の通路の要部断面図である。図１２において、６３はメダル２２の通路であり、この通路６３の壁面には透過型の光学センサ６４ａ、６４ｂが設けられている。このセンサ６４ａ、６４ｂはメダル２２の通過個数を検出するものである。
【００５７】
本実施の形態では透過型のセンサ６４ａ、６４ｂを用いているので、外部からの異物（例えば悪戯治具１１）を挿入すれば、一旦光を遮ることになるので容易に悪戯を発見することができる。また、図１３に示すようにセンサ６４ａ（例えば発光ダイオード）の前方とセンサ６４ｂ（例えばフォトトランジスタ）の前方に夫々鏡６５を設けておけば、幅方向の寸法を小さくすることができる。更に、鏡６５の代わりに光ファイバを用いることもできる。この場合はセンサ６４ａ、６４ｂの取り付け位置の自由度が更に大きくなる。従って、メダル選別装置の小型化を図ることができる。
【００５８】
（実施の形態５）
図１４は、実施の形態５におけるメダル選別装置の通路の要部断面図である。図１４において、６６はメダル２２の通路であり、この通路６６の両壁面には磁気センサ６７ａ、６７ｂが対向して設けられている。これらのセンサ６７ａ、６７ｂはメダル２２の通過個数の検出をするとともに、メダル２２の材質或いは材厚を検出することができるものである。
【００５９】
即ち、磁気センサ６７ａ、６７ｂを直列同相接続すれば、メダル２２を通過する磁力の相違からメダル２２の材質を検知することができる。また、磁気センサ６７ａ、６７ｂを直列逆相接続すれば、メダル２２で反射する磁力の相違からメダル２２の材厚を検知することができる。
【００６０】
なお、直列同相接続した磁気センサ６７ａ、６７ｂと、直列逆相接続された磁気センサ６７ｃ、６７ｄを併用して用いれば、メダル２２の材質と材厚を同時に検知することができる。何れにしても正確にメダル２２の性質を検知することができる。
【００６１】
また、磁気センサ６７ａ、６７ｂを用いると、通路６６に溜まったゴミ等の影響を受け難いものである。従って、例え磁気センサ６７ａ、６７ｂとその近傍の清掃を怠ったとしても正確にメダル２２の判定をすることができる。また、磁気であるので、通路６６からは壁６６ａ等で隔離することができ、ゴミ等の影響を更に受け難くすることができる。
【産業上の利用可能性】
【００６２】
本発明のメダル選別装置は、メダルの不正使用を防止することができるので、ゲーム用等のメダル選別装置として有用である。
【図面の簡単な説明】
【００６３】
【図１】本発明の実施の形態１におけるメダル選別装置の正面図
【図２】同、分解斜視図
【図３】同、斜視図
【図４】同、フロントカバーを外した正面図
【図５】同、外形判定部近傍の断面図
【図６】同、センサ近傍の拡大正面図
【図７】同、切断面を指示する正面図
【図８】同、第１の状態における切替ゲート近傍の断面図
【図９】同、第２の状態における切替ゲート近傍の断面図
【図１０】同、実施の形態２におけるメダル選別装置の正面図
【図１１】同、実施の形態３におけるメダル選別装置の通路の要部断面図
【図１２】同、実施の形態４におけるメダル選別装置の通路の要部断面図
【図１３】同、第２の例における通路の要部断面図
【図１４】同、実施の形態５におけるメダル選別装置の通路の要部断面図
【図１５】従来のメダル選別装置の正面図
【図１６】同、悪戯治具が挿入されたメダル選別装置の正面図
【符号の説明】
【００６４】
２０  メダル選別装置
２２  メダル
２２ａ  真のメダル
２２ｂ  小さい偽のメダル
２２ｃ  大きい偽のメダル
２２ｄ  厚い偽のメダル
２３  投入口
２４  通路
２４ａ  通路
２４ｂ  壁面
２５  返却口
２６  外形判定部
２７  排除室
２８  切替ゲート
２９  センサ
２９ａ  磁気センサ
２９ｂ  光学センサ
３０  出口
３１  コネクタ
【図１】
2007310541.tif 000003
【図２】
2007310541.tif 000004
【図３】
2007310541.tif 000005
【図４】
2007310541.tif 000006
【図５】
2007310541.tif 000007
【図６】
2007310541.tif 000008
【図７】
2007310541.tif 000009
【図８】
2007310541.tif 000010
【図９】
2007310541.tif 000011
【図１０】
2007310541.tif 000012
【図１１】
2007310541.tif 000013
【図１２】
2007310541.tif 000014
【図１３】
2007310541.tif 000015
【図１４】
2007310541.tif 000016
【図１５】
2007310541.tif 000017
【図１６】
2007310541.tif 000018